(57)【要約】【課題】従来、この種の軒先用の平板瓦は、フラットな形状であって、雨水の流下、樋の詰り等に対して何ら配慮しない構造が主体であった。積雪時の雪の落下の危険性と、垂れの汚れ等の問題を抱えていること、又は樋の詰りの問題も解消されていないのが現況である。また和形瓦で、頭側のやや内方に貫通穴を開設した構造が開示されているが、平板瓦には、不向きな構成であった。【構成】本発明は、平板状の瓦本体に水返突条と、アンダーラップとオーバーラップとを付設した軒先用の平板瓦であって、平板瓦の頭側に、表面より突出した堰を形成し、堰を裏面に向って延設して垂れを形成し、また平板瓦の表面より裏面に亘る貫通穴を開設し、貫通穴が、堰より尻側に向った位置に開設されている軒先用の平板瓦である。従って、積雪時の雪の滑落防止と、垂れの汚染防止に有効である。【選択図】図１
2008050847.tif 000002
【特許請求の範囲】
【請求項１】
平板状の瓦本体の表面尻側に水返突条を、またこの瓦本体の両端側にアンダーラップとオーバーラップとを付設した軒先用の平板瓦であって、
この平板瓦の頭側に、その表面より突出した堰を形成し、この堰を裏面に向って延設して垂れを形成し、またこの平板瓦の表面より裏面に亘る貫通穴を開設し、この貫通穴が、前記堰より尻側に向った位置に開設されていることを特徴とした軒先用の平板瓦。
【請求項２】
平板状の瓦本体の表面尻側に水返突条を、またこの瓦本体の両端側にアンダーラップとオーバーラップとを付設した軒先用の平板瓦であって、
この平板瓦の頭側に、その表面より裏面に向って延設して垂れを形成し、またこの平板瓦の表面より裏面に亘る貫通穴を開設し、この貫通穴が、前記頭側より尻側に向った位置に開設されていること、又はこの貫通穴の頭側の周辺部を凹部に形成することで、この貫通穴の頭側に段付堰を形成したことを特徴とした軒先用の平板瓦。
【請求項３】
請求項１又は請求項２に記載の平板瓦において、この貫通穴の幅を、この平坦部のきき幅方向の略２／３に開設することを特徴とした軒先用の平板瓦。
【請求項４】
請求項１又は請求項２に記載の平板瓦において、この堰及び段付堰と貫通穴を備えた軒先用の平板瓦は、雪止めを備えた平板瓦と併用して葺設する構成とした平板瓦の葺設屋根。
【発明の詳細な説明】
【技術分野】
【０００１】
本発明は、軒先用の平板瓦と、この平板瓦の葺設屋根に関する。
【背景技術】
【０００２】
従来、この種の軒先用の平板瓦は、フラットな形状であって、雨水の流下、樋の詰り等に対して何ら配慮しない構造が主体であった。それが為に、積雪時の雪の落下の危険性と、垂れの汚れ等の問題を抱えていること、又は樋の詰りの問題も解消されていないのが現況である。
【０００３】
これらの解決策として、瓦の頭側のやや内方（尻側に向かった内側）に貫通穴を開設した構造が開示されているので、その一例を説明すると、次のような先行文献が挙げられる。
【０００４】
文献（１）は、特開平１−３２２０５２号の「刃口瓦及び軒瓦の構造」である。この発明は、瓦本体に頭側より尻側に僅かに入った部位に、表面より裏面に至る谷部に透孔を開設し、この透孔の裏面に流水ガイドを突設した構成であり、降雪時において積雪の滑落を防止することを意図する。また、文献（１）は、この透孔の頭側で、かつ瓦本体の平坦部に水返し突条を設け、小堰としての役割を図り、僅かな雨水、融（雪）水等の流体の誘導を図ることを意図する。
【０００５】
しかし、この軒瓦は、和形瓦を意図するものであって、他の瓦、例えば、平板瓦には、この構成では採用できない。その理由は、先ず、水返し突条は、透孔から離れた部位に設けられていること、及び／又は、瓦本体の表面の平坦部に設けられている構成である。従って、瓦本体の下向き勾配の雨水、融（雪）水等の流体を、この透孔に誘導するには困難であると思われる。また、この瓦本体の下向き勾配を流れる流体を透孔に誘導することが、困難であるので、この流体は、軒先への流れとなり、軒先の汚れ、また降雪時において積雪の滑落を誘引する虞が多分にあると考えられる。
【０００６】
また文献（２）は、特開平９−６０２０２号の「一文字軒瓦及び軒構造」である。この発明は、瓦本体の谷部面より所定高さの突堤を設け、また、この瓦本体の頭側より尻側に僅かに入った部位に、表面より裏面に至る谷部に透孔を開設し、この透孔が瓦本体のきき幅方向の略１／２に開設されていることを特徴とした一文字軒瓦の構造であり、前記文献（１）と同様な効果を図ることを意図する。
【０００７】
しかし、この発明は、原則として、和形瓦の一文字瓦に関するものであり、ストレートに平板瓦に採用するには、問題を残している。
【０００８】
【特許文献１】特開平１−３２２０５２号
【特許文献２】特開平９−６０２０２号
【発明の開示】
【発明が解決しようとする課題】
【０００９】
前記文献（１）及び／又は（２）において、透孔を瓦本体の谷部に設ける構成であり、和形瓦では、理にかなっている。しかし、平板瓦では、一部に透孔を開設しても、雨水、融（雪）水等の流体の誘導を図るには充分でない。この点を改良しない限り、降雪時の平板瓦としての役割が劣ることが考えられる。
【００１０】
上記に鑑み本発明は、下記の目的を達成することを意図する。
【００１１】
１）  本発明は、平板瓦であっても、降雪時の雪の滑落を防止し、垂れの汚染防止に有益な貫通穴を備えた構造の平板瓦を提供すること、また雨水、融（雪）水等の流体を確実に収れんできる貫通穴と、この貫通穴の面積比（きき幅を主体とする比である）を提供する。
【００１２】
２）  また本発明は、頭側に設けた垂れと、堰とを略垂直（鉛直）状態にし、かつ面一構造を採用することで、成形の容易化（型抜きの容易化）、欠損の回避を図ること、又は成形時の粘土の流動化を促進すること等を意図する。
【課題を解決するための手段】
【００１３】
請求項１の発明は、前記「１」、「２」の目的を、確実に達成することを意図する。
【００１４】
請求項１は、平板状の瓦本体の表面尻側に水返突条を、またこの瓦本体の両端側にアンダーラップとオーバーラップとを付設した軒先用の平板瓦であって、
この平板瓦の頭側に、その表面より突出した堰を形成し、この堰を裏面に向って延設して垂れを形成し、またこの平板瓦の表面より裏面に亘る貫通穴を開設し、この貫通穴が、前記堰より尻側に向った位置に開設されていることを特徴とした軒先用の平板瓦である。
【００１５】
請求項２の発明は、前記「１」、「２」の目的を、簡易に達成することを意図する。
【００１６】
請求項２は、平板状の瓦本体の表面尻側に水返突条を、またこの瓦本体の両端側にアンダーラップとオーバーラップとを付設した軒先用の平板瓦であって、
この平板瓦の頭側に、その表面より裏面に向って延設して垂れを形成し、またこの平板瓦の表面より裏面に亘る貫通穴を開設し、この貫通穴が、前記頭側より尻側に向った位置に開設されていること、またはこの貫通穴の頭側の周辺部を凹部に形成することで、この貫通穴の頭側に段付堰を形成したことを特徴とした軒先用の平板瓦である。
【００１７】
請求項３の発明は、請求項１又は請求項２の目的を達成すること、この目的を達成するのに最適な貫通穴の構造を提供すること等を意図する。
【００１８】
請求項３は、請求項１又は請求項２に記載の平板瓦において、この貫通穴の幅を、この平坦部のきき幅方向の略２／３に開設することを特徴とした軒先用の平板瓦である。
【００１９】
請求項４の発明は、請求項１又は請求項２の目的を達成すること、この目的を達成するのに最適な平板瓦と雪止めを備えた平板瓦の組合せ構造を提供すること等を意図する。
【００２０】
請求項４は、請求項１又は請求項２に記載の平板瓦において、この堰及び段付堰と貫通穴を備えた軒先用の平板瓦は、雪止めを備えた平板瓦と併用して葺設する構成とした平板瓦の葺設屋根である。
【発明の効果】
【００２１】
請求項１の発明は、平板状の瓦本体の表面尻側に水返突条を、また瓦本体の両端側にアンダーラップとオーバーラップとを付設した軒先用の平板瓦であって、
平板瓦の頭側に、その表面より突出した堰を形成し、堰を裏面に向って延設して垂れを形成し、また平板瓦の表面より裏面に亘る貫通穴を開設し、貫通穴が、堰より尻側に向った位置に開設されている軒先用の平板瓦である。
【００２２】
従って、請求項１は、下記の特徴がある。
【００２３】
１）  平板瓦であっても、降雪時の雪の滑落を防止し、垂れの汚染防止に有益な貫通穴を備えた構造の平板瓦を提供できること、また雨水、融（雪）水等の流体を確実に収れんできる貫通穴と、この貫通穴の面積比（きき幅を主体とする比である）を提供できる。
【００２４】
２）  また、頭側に設けた垂れと、堰とを略垂直（鉛直）状態にし、かつ面一構造を採用することで、成形の容易化（型抜きの容易化）、欠損の回避が図れること、又は成形時の粘土の流動化を促進できること等の特徴がある。
【００２５】
請求項２の発明は、平板状の瓦本体の表面尻側に水返突条を、また瓦本体の両端側にアンダーラップとオーバーラップとを付設した軒先用の平板瓦であって、
平板瓦の頭側に、その表面より裏面に向って延設して垂れを形成し、また平板瓦の表面より裏面に亘る貫通穴を開設し、貫通穴が、頭側より尻側に向った位置に開設されていること、または貫通穴の頭側の周辺部を凹部に形成することで、貫通穴の頭側に段付堰を形成した軒先用の平板瓦である。
【００２６】
従って、請求項２は、下記の特徴がある。
【００２７】
１）  平板瓦であっても、降雪時の雪の滑落を防止し、垂れの汚染防止に有益な貫通穴を備えた構造の平板瓦を、簡易な構造で提供できること、また雨水、融（雪）水等の流体を確実に収れんできる貫通穴と、この貫通穴の面積比（きき幅を主体とする比である）を簡易な構造で提供できる。
【００２８】
２）  また、頭側に設けた垂れと、堰とを略垂直（鉛直）状態にし、かつ面一構造を採用することで、簡易な構造の平板瓦であっても、成形の容易化（型抜きの容易化）が達成できること、欠損の回避が図れること、又は成形時の粘土の流動化を促進できること等の特徴がある。
【００２９】
請求項３の発明は、請求項１又は請求項２に記載の平板瓦において、貫通穴の幅を、平坦部のきき幅方向の略２／３に開設する軒先用の平板瓦である。
【００３０】
従って、請求項３は、請求項１又は請求項２の目的を達成できること、この目的を達成するのに最適な貫通穴の構造を提供できること等の特徴を有する。
【００３１】
請求項４の発明は、請求項１又は請求項２に記載の平板瓦において、堰及び段付堰と貫通穴を備えた軒先用の平板瓦は、雪止めを備えた平板瓦と併用して葺設する平板瓦の葺設屋根である。
【００３２】
従って、請求項４は、請求項１又は請求項２の目的を達成できること、この目的を達成するのに最適な平板瓦と雪止めを備えた平板瓦の組合せ構造を提供できること等の特徴を有する。
【発明を実施するための最良の形態】
【００３３】
本発明の一例を説明する。
【００３４】
図面の説明をすると、図１は第一の実施例の平板瓦の斜視図、図２は図１の要部の断面図、図３は図１の平板瓦の葺設状態の模式図、図４は第二の実施例の平板瓦の斜視図、図５−１は図４の要部の断面図、図５−２は図４の他の例の要部の断面図、図６は図４の平板瓦の葺設状態の模式図である。
【００３５】
先ず、図１〜図３に示した第一の実施例を説明すると、１は軒先用の平板瓦で、この平板瓦１の瓦本体１００の表面１ａ尻側１００−１には、水返突条２を設け、またこの瓦本体１００の両端側（一方側１００−３と、他方側１００−４）には、アンダーラップ３とオーバーラップ５を設けた構成である。尚、図中１００−２は平板瓦１の頭側を示している。
【００３６】
そして、平板瓦１の頭側１００−２には、その表面１ａより突出した堰６を形成し、この堰６を裏面に向って延設して垂れ７を形成する。またこの平板瓦１の表面１ａより裏面１ｂに亘る貫通穴８を開設し、この貫通穴８が、前記堰６より尻側１００−１に向った位置に開設されている。そして、この堰６は、雨水、融（雪）水等の流体を堰き止め、かつ垂れ７の流体の流れを抑制しつつ、また貫通穴８への流体を誘導する役目がある。
【００３７】
尚、この貫通穴８は、この第一の実施例では、瓦本体１００のきき幅方向１００−５における平坦部寸法の略２／３に開設することで、この表面１ａを流れる雨水、融（雪）水等の流体を確実に収れんできる特徴がある。またこの貫通穴８は、扁平楕円形状として、流体の流れ込むエリアーを広域的にする構成が望ましい。この平坦部寸法の略２／３とは、この種の平板瓦１において、一つ又は複数の膨出山部を有する構成では、この膨出山部を除いた略全ての平坦部を示唆する。また垂れ７と貫通穴８との間に間隔９を形成し、施工時に装備される樋の装着と、流体の確実な流れを確保する。
【００３８】
そして、この軒先用の平板瓦１は、図３に示すように雪止めを備えた平板瓦１−１と併用して葺設する構成であって、この雪止めを備えた平板瓦１−１と、平板瓦１の貫通穴８とを介して積雪時の雪の滑落を防止する。従って、積雪は二点支持となって、滑落を略１００％防止可能となり、有益であること、また垂れ７の汚染防止が図れること、さらに氷柱の発生を略皆無とし、事故の防止を図ること等の特徴がある。尚、平板瓦１に堰６を設けることで、和形瓦の一文字感覚を表現でき、重厚味と荘厳性を遺憾なく発揮でき有益である。
【００３９】
次に、図４〜図６に示した第二の実施例を説明すると、１０は軒先用の平板瓦で、この平板瓦１０の瓦本体１０００の表面１０ａ尻側１０００−１には、水返突条２を設け、またこの瓦本体１０００の両端側（一方側１０００−３と、他方側１０００−４）には、アンダーラップ３とオーバーラップ５を設けた構成である。尚、図中１０００−２は平板瓦１の頭側を示している。
【００４０】
そして、平板瓦１０の頭側１０００−２には、その表面１０ａより裏面１０ｂに向って延設して垂れ７を形成する。またこの平板瓦１０の表面１０ａより裏面１０ｂに亘る貫通穴８を開設し、この貫通穴８が、前記頭側１０００−２より尻側１０００−１に向った位置に開設されている。そして、この例では、表面１０ａより陥没するようにして貫通穴８を形成し、この貫通穴８に向かって陥没して形成された略逆末広がり形状の流体誘導傾斜２０をこの貫通穴８の周囲略全方向に形成する。そして、流体誘導傾斜２０は、頭側１０００−２の全体を深い傾斜（凹部）とすることで段付堰２１を形成する。そして、この段付堰２１の作用については、前述の第一の実施例に準ずる。
【００４１】
尚、この貫通穴８は、この第二の実施例では、瓦本体１０００のきき幅方向１０００−５における平坦部寸法の略２／３に開設することで、この表面１０ａを流れる雨水、融（雪）水等の流体を確実に収れんできる特徴がある。またこの貫通穴８は、扁平楕円形状として、流体の流れ込むエリアーを広域的にする構成が望ましい。この平坦部寸法の略２／３とは、この種の平板瓦１０において、膨出山部を有する構成では、この膨出山部を除いた略全ての平坦部を示唆する。他の構成は、前述の第一の実施例に準ずる。例えば、頭側１０００−２の表面１０ａに堰６を設ける構成もよい（図５−２参照）。それにより、より一層の積雪時の雪の滑落を防止する。
【００４２】
そして、この軒先瓦用の平板瓦１０は、図６に示すように雪止めを備えた平板瓦１０−１と併用して葺設する構成であって、この雪止めを備えた平板瓦１０−１と、平板瓦１０の貫通穴８とを介して積雪時の雪の滑落を防止する。従って、積雪は二点支持となって、滑落を略１００％防止可能となり、有益であること、また垂れ７の汚染防止が図れること、さらに氷柱の発生を略皆無とし、事故の防止を図ること等の特徴がある。尚、平板瓦１０は、段付堰２１を形成することで、平板瓦１０の感覚を確保しつつ、雪止め瓦としての役割が図れ、重宝すること、違和感の発生を回避できること、平板瓦１０の軽量化に寄与できる等の有益性を有する。
【００４３】
尚、図中においてＡを屋根全体の棟側、Ｂを屋根全体の軒側とする。
【図面の簡単な説明】
【００４４】
【図１】図１は第一の実施例の平板瓦の斜視図
【図２】図２は図１の要部の断面図
【図３】図３は図１の平板瓦の葺設状態の模式図
【図４】図４は第二の実施例の平板瓦の斜視図
【図５−１】図５−１は図４の要部の断面図
【図５−２】図５−２は図４の他の例の要部の断面図
【図６】図６は図４の平板瓦の葺設状態の模式図
【符号の説明】
【００４５】
１                  平板瓦
１−１              雪止めを備えた平板瓦
１ａ                表面
１ｂ                裏面
１００              瓦本体
１００−１          尻側
１００−２          頭側
１００−３          一方側
１００−４          他方側
１００−５          きき幅方向
２                  水返し突条
３                  アンダーラップ
５                  オーバーラップ
６                  堰
７                  垂れ
８                  貫通穴
９                  間隔
１０                平板瓦
１０−１            雪止めを備えた平板瓦
１０ａ              表面
１０ｂ              裏面
１０００            瓦本体
１０００−１        尻側
１０００−２        頭側
１０００−３        一方側
１０００−４        他方側
１０００−５        きき幅方向
２０                流体誘導傾斜
２１                段付堰
Ａ                  棟側
Ｂ                  軒側
【図１】
2008050847.tif 000003
【図２】
2008050847.tif 000004
【図３】
2008050847.tif 000005
【図４】
2008050847.tif 000006
【図５−１】
2008050847.tif 000007
【図５−２】
2008050847.tif 000008
【図６】
2008050847.tif 000009